(57)【要約】【課題】記憶部にあらかじめ格納された複数の設定情報のうち、筐体に取り付けられるジャケットに対応する設定情報を読み出して動作部を設定可能な固定部材および電子機器を提供する。【解決手段】携帯端末１０は、ジャケット１２を貫通して携帯端末本体１１に係合される固定ねじ１３と、携帯端末本体１１に設けられて所定の動作を発生する発光部１８と、リング部２９の電気的な値を検出する検知部４０と、検知部４０の検出値に対応する設定情報を複数格納する記憶部４１と、検出値に対応する設定情報を記憶部４１から読み出すとともに、この設定情報に基づいて駆動部４２に動作信号を伝える制御部４３とを備え、制御部４３からの動作信号に基づいて駆動部４２で発光部１８を動作させる。【選択図】図３
2007243720.tif 000002
【特許請求の範囲】
【請求項１】
係合孔に係合可能な軸部を備える固定部材であって、
前記軸部の周面に所定の抵抗値を有するリング部が設けられていることを特徴とする固定部材。
【請求項２】
係合孔に係合可能な軸部を備える固定部材であって、
前記軸部の周面に設けられた第１リング部および第２リング部を有し、
前記第１リング部および前記第２リング部が導電性を有するとともに、前記軸部の周面において離間配置され、かつ、前記軸部および前記頭部のうち少なくとも一方に内蔵された抵抗を介して電気的に接続されていることを特徴とする固定部材。
【請求項３】
係合孔に係合可能な軸部と、前記軸部の端部に連結された頭部とを備える固定部材であって、
前記軸部の周面に設けられた第１リング部と、前記頭部の周面に設けられた第２リング部とを有し、
前記第１リング部および前記第２リング部が導電性を有するとともに、前記軸部および前記頭部の内部において電気的に接続されていることを特徴とする固定部材。
【請求項４】
前記第１リング部および前記第２リング部が、抵抗を介して接続されていることを特徴とする請求項３に記載の固定部材。
【請求項５】
前記軸部の周面に設けられ、かつ、前記第１リング部に対して離間配置された第３リング部と、前記頭部の周面に設けられ、かつ、前記第２リング部に対して離間配置された第４リング部とを有し、
前記第３リング部および前記第４リング部が導電性を有するとともに、前記軸部および前記頭部の内部において電気的に接続されていることを特徴とする請求項３に記載の固定部材。
【請求項６】
取付部材を貫通して筐体に係合される固定部材と、前記筐体に設けられて所定の動作を発生する動作部と、前記固定部材の電気的な値を検出する検知部と、前記検知部の検出値に対応する設定情報を複数格納する記憶部と、前記検出値に対応する設定情報を前記記憶部から読み出すとともに、前記設定情報に基づいて前記動作部を動作させる制御部とを備える電子機器。
【請求項７】
取付部材を貫通して筐体に係合される固定部材と、前記取付部材に設けられて所定の動作を発生する動作部と、前記固定部材の電気的な値を検出する検知部と、前記検知部の検出値に対応する設定情報を複数格納する記憶部と、前記検出値に対応する設定情報を前記記憶部から読み出すとともに、前記検知部を介して給電し、かつ、前記設定情報に基づいて前記動作部を動作させる制御部とを備える電子機器。
【発明の詳細な説明】
【技術分野】
【０００１】
本発明は、筐体に取付部材を固定するために用いられる固定部材、および筐体に固定部材により取付部材を固定した電子機器に関する。
【背景技術】
【０００２】
近年、デザインや色調等を使用者が選択して個性化を図るために、筐体に対して取り外し自在な化粧パネル（ジャケット）を備えた携帯端末が知られている。
使用者は、表面に模様が描かれた複数種類のジャケットを外装材として選択的に筐体に取り付けることにより、携帯端末の外装を使用者の好みに合わせて変更できる。
【０００３】
ところで、従来の携帯端末は、ＬＣＤ（liquid crystal display）等で構成される表示装置の表示画面の背景を使用者の好みに合わせて変更できるものが一般的である。
【０００４】
しかしながら、従来の携帯端末は、ジャケットの模様や、表示画面の背景を使用者の好みに合わせてそれぞれ個別に変更可能であるために、ジャケットの模様と、表示画面の背景とに統一感が得られず、デザイン上の違和感が生じる場合がある。
【０００５】
この対策として、ジャケットの模様に合わせて表示画面の背景を決めることで、ジャケットの模様と表示画面の背景とに統一感が得られる携帯端末が提案されている（例えば、特許文献１）。
【特許文献１】特開２００４−３２０１２１号公報
【０００６】
特許文献１の携帯端末は、あらかじめジャケットの模様に対応する背景の画像データをインターネットサーバに複数種類格納しておき、バーコードによりジャケットの裏に記録されたＵＲＬ（Uniform Resource Locator）を筐体のカメラにより撮影して読み込ませ、読み込んだＵＲＬに基づくインターネットサーバにアクセスし、対応する画像データをダウンロードして新たな背景画像とする。
これにより、携帯端末のジャケットと、背景表示機能とが対応したものとなり、デザインに統一性が得られる。
【発明の開示】
【発明が解決しようとする課題】
【０００７】
しかしながら、特許文献１の携帯端末は、使用者がバーコードを携帯端末に備えたカメラで撮影して携帯端末に読み込ませる必要があり、手間が掛かるという問題がある。
さらに、特許文献１の携帯端末は、使用者が読み込ませたＵＲＬに基づくインターネットサーバにアクセスし、画像データをダウンロードする必要がある。
【０００８】
本発明は上記事情に鑑みてなされたもので、使用者に別途作業を行わせることなく複数種類のジャケットを識別可能となる固定部材および電子機器を提供することを目的とする。
【課題を解決するための手段】
【０００９】
本発明の固定部材は、係合孔に係合可能な軸部を備える固定部材であって、前記軸部の周面に所定の抵抗値を有するリング部が設けられていることを特徴とする。
ここで、固定部材としては、例えば汎用のねじ等を例示できるが、単なるピンやファスナ、クリップ等を採用してもよい。また、固定部材としてねじを採用する場合、軸部よりも大径に形成された頭部の有無は問わない。
【００１０】
一方、リング部としては、リング部自身として所望の抵抗値を有していてもよく、あるいはリング部は固定部材と電子機器との電気接続部としての導体であって、このリング部と、電子部品として固定部材に埋設された抵抗とが接続されていてもよい。このようなリング部は、固定部材として例えば軸部よりも大径の頭部を有するねじを採用した場合、軸部および頭部のうちの一方あるいは双方に設けておけばよく、寸法や数等は任意である。
なお、固定部材におけるリング部以外の部位の材質は任意であるが、リング部のみの抵抗値を検出させるために、他の部位が絶縁性を有していることが好ましい。
【００１１】
この固定部材においては、軸部の周面に所定の抵抗値を有するリング部が設けられているため、例えば携帯端末の筐体に軸部が挿入係合される係合孔を設けておくとともに、リング部に接触して抵抗値を検出する一対の端子を係合孔の内面に設けておけば、係合孔に軸部を挿入係合することにより、各端子を介してリング部の抵抗値が検出され、識別されることになる。
従って、例えば携帯端末の筐体に取り付けられるジャケットの図柄に対応して、リング部の抵抗値が異なる固定部材を組み合わせておけば、固定部材により間接的にジャケットを識別できることになる。
【００１２】
ここで、あらかじめジャケットに応じた表示画面の画像データを筐体の記憶部に複数種類格納しておき、固定部材を介して間接的に識別したジャケットに対応した画像データを表示画面に表示させるように設定しておけば、従来のように使用者がジャケット裏面のバーコードを撮影してから画像データをダウンロードするという極めて煩雑な作業が解消されることになり、これにより前述した目的が達成される。
また、カメラを備えない携帯電話に対しても、固定部材によってジャケットを識別し、識別したジャケットに対応した画像データを表示画面に表示させる構成を提供することができる。
【００１３】
また、本発明の固定部材は、係合孔に係合可能な軸部を備える固定部材であって、前記軸部の周面に設けられた第１リング部および第２リング部を有し、前記第１リング部および前記第２リング部が導電性を有するとともに、前記軸部の周面において離間配置され、かつ、前記軸部および前記頭部のうち少なくとも一方に内蔵された抵抗を介して電気的に接続されていることを特徴とする。
【００１４】
この固定部材においては、軸部の周面に離間配置した第１リング部、第２リング部が抵抗を介して電気的に接続されているため、例えば携帯端末の筐体に設けた係合孔の内面に一対の端子を設けておき、かつ、各端子がそれぞれ第１リング部、第２リング部にのみ接触するように配置しておけば、第１リング部、第２リング部、電子部品としての抵抗の合算抵抗値が検出され、これにより識別されることになる。
そして、この固定部材においては、内蔵する抵抗を適宜選択することにより、抵抗値を任意、かつ、正確に設定できることになる。
【００１５】
また、本発明の固定部材は、係合孔に係合可能な軸部と、前記軸部の端部に連結された頭部とを備える固定部材であって、前記軸部の周面に設けられた第１リング部と、前記頭部の周面に設けられた第２リング部とを有し、前記第１リング部および前記第２リング部が導電性を有するとともに、前記軸部および前記頭部の内部において電気的に接続されていることを特徴とする。
ここで、第１リング部および第２リング部の抵抗値は不問であり、第１リング部および第２リング部間に介装される電子部品としての抵抗の有無も任意である。
【００１６】
この固定部材においては、軸部の周面に設けられた第１リング部と、頭部の周面に設けられた第２ング部とが電気的に接続されているため、例えば携帯端末の筐体に軸部が挿入係合される係合孔を設けておくとともに、筐体に取り付けられるジャケットに頭部が埋没する段付孔を設けておき、かつ、第１リング部に接触する端子を係合孔の内面に設けておくとともに、第２リング部に接触する端子を段付孔の大径孔の内面に設けておけば、ジャケットを貫通して係合孔に軸部を挿入係合することにより、第１リング部および第２リング部を介して筐体およびジャケットが電気的に接続されることになる。
【００１７】
すなわち、この固定部材を複数用いれば、筐体およびジャケット間において電気回路を構成することにより、例えばジャケットに設けた発光部、表示部、音声発生部等の各種動作部を駆動可能となる。
また、あらかじめジャケットを識別可能な識別情報をジャケット内部に格納しておくとともに、ジャケットに応じた表示画面の画像データを筐体の記憶部に複数種類格納しておき、固定部材を介して得た識別情報に基づいて、対応する画像データを表示画面に表示させるように設定しておけば、従来のように使用者がジャケット裏面のバーコードを撮影してから画像データをダウンロードするという極めて煩雑な作業が解消されることになる。
【００１８】
また、本発明の固定部材は、前記第１リング部および第２リング部が、抵抗を介して接続されていることを特徴とする。
この固定部材においては、第１リング部および第２リング部間に電子部品として任意の抵抗値を有する抵抗を介装されているため、前述と同様に間接的、かつ、正確にジャケットを識別できることになる。
【００１９】
また、本発明の固定部材は、前記軸部の周面に設けられ、かつ、前記第１リング部に対して離間配置された第３リング部と、前記頭部の周面に設けられ、かつ、前記第２リング部に対して離間配置された第４リング部とを有し、前記第３リング部および第４リング部が導電性を有するとともに、前記軸部および前記頭部の内部において電気的に接続されていることを特徴とする。
【００２０】
この固定部材においては、第１リング部および第２リング部が電気的に接続されているとともに、第３リング部および第４リング部が電気的に接続されているため、筐体およびジャケットが電気的に接続され、かつ、複数本を用いることなく電気回路を構成できることになる。
従って、このような固定部材においては、複数本を用いることにより、例えばジャケットに設けられた複数の動作を独立して駆動できることになる。
【００２１】
また、本発明の電子機器は、取付部材を貫通して筐体に係合される固定部材と、前記筐体に設けられて所定の動作を発生する動作部と、前記固定部材の電気的な値を検出する検知部と、前記検知部の検出値に対応する設定情報を複数格納する記憶部と、前記検出値に対応する設定情報を前記記憶部から読み出すとともに、前記設定情報に基づいて前記動作部を動作させる制御部とを備えることを特徴とする。
【００２２】
このような電子機器においては、検知部により固定部材の電気的な値を検出し、制御部で、検出した値に対応する設定情報を記憶部から読み出し、読み出した設定情報に基づいて動作部を動作させるため、例えば固定部材の電気的な値を取付部材に対応して設定しておけば、固定部材により取付部材を筐体に係合させると固定部材を介して取付部材が識別されることになる。
そして、識別情報に基づいて、記憶部にあらかじめ格納された複数の設定情報のうち、取付部材に対応する設定情報を読み出して動作部が作動するように設定することが可能である。
【００２３】
また、本発明の電子機器は、取付部材を貫通して筐体に係合される固定部材と、前記取付部材に設けられて所定の動作を発生する動作部と、前記固定部材の電気的な値を検出する検知部と、前記検知部の検出値に対応する設定情報を複数格納する記憶部と、前記検出値に対応する設定情報を前記記憶部から読み出すとともに、前記検知部を介して給電し、かつ、前記設定情報に基づいて前記動作部を動作させる制御部とを備えることを特徴とする。
【００２４】
このような電子機器においては、検知部により固定部材の電気的な値を検出し、制御部で、検出した値に対応する設定情報を記憶部から読み出し、読み出した設定情報に基づいて、検知部を介して動作部を動作させるため、固定部材の電気的な値を取付部材に対応して設定しておけば、固定部材により取付部材を筐体に係合させることで、固定部材を介して取付部材が識別されることになる。
そして、その識別情報に基づいて、記憶部にあらかじめ格納された複数の設定情報のうち、取付部材に対応する設定情報を読み出して、取付部材の動作部が検知部を介して作動するように設定することが可能である。
【発明の効果】
【００２５】
本発明によれば、記憶部にあらかじめ格納された複数の設定情報のうち、例えば筐体に取り付けられるジャケットに対応する設定情報を読み出して動作部を設定できるという効果を有する。
【発明を実施するための最良の形態】
【００２６】
以下、本発明に係る電子機器として携帯端末を例に説明するが、電子機器は携帯端末に限るものではない。
【００２７】
（第１実施形態）
図１に示すように、第１実施形態の携帯端末１０は、携帯端末本体１１と、この携帯端末本体１１に取り付け可能なジャケット（取付部材）１２と、このジャケット１２を携帯端末１１に取り付ける固定ねじ（固定部材）１３とからなる。
【００２８】
携帯端末本体１１は、上筐体（筐体）１４および下筐体１５をヒンジ部１６で折り畳み可能に連結し、上筐体１４の表面にカメラ１７、発光部（動作部）１８を備えるとともに、四隅にそれぞれ係合孔１９を備え、下筐体１５にマイクロフォン２０を備える。
発光部１８は、多数のＬＥＤ（light-emitting diode）がマトリクス状に配置されていて、発光を個々に制御可能である。
本実施形態では発光部１８をＬＥＤとしたが、ＬＣＤ、ＥＬや他の表示器としての機能を有するものであればその種類は問わない。
【００２９】
ジャケット１２は、上筐体１４と略同形状に形成され、上端部にカメラ１７が嵌合する嵌合孔２２が形成され、嵌合孔２２の下方で、かつ、発光部１８に臨む部位を透明部２３とし、四隅で、かつ係合孔１９に臨む部位に貫通孔２４が形成されている。
このジャケット１２は、例えば、表面１２ａに花柄等の模様が施されている。
【００３０】
図２（ａ）に示すように、固定ねじ１３は、頭部２６と軸部２７とからなり、頭部２６の頂部に六角形の凹部２８が形成されている。軸部２７の周面２７ａにはリング部２９が設けられ、軸部２７の周面２７ａおよびリング部２９の周面２９ａには雄ねじが形成されている。
リング部２９は、所定の抵抗値を有し、一例として軸部２７の周面２７ａにインサート成形されている。
【００３１】
図２（ｂ）に示すように、係合孔１９は、周面に雌ねじが形成され、この周面に一対の端子３１，３２が露出されている。それぞれの端子３１，３２は、リード線３３，３４を介して検出部４０（図３参照）に接続されている。
【００３２】
貫通孔２４は、頭部２６が嵌合する拡径部２４ａと、軸部２７が貫通する小径部２４ｂとからなり、拡径部２４ａと小径部２４ｂとで段部２４ｃが形成されている。
【００３３】
固定ねじ１３によりジャケット１２を上筐体１４に取り付ける際には、固定ねじ１３を貫通孔２４に差し込み、六角形の凹部２８に締付工具を配置する。
締付工具で固定ねじ１３を時計回り方向に回転して、係合孔１９の雌ねじに、固定ねじ１３の雄ねじをねじ結合し、係合孔１９に軸部２７を係合する。
頭部２６で貫通孔２４の段部２４ｃを押圧することで、ジャケット１２が上筐体１４に取り付けられる。
この状態で、リング部２９の周面２９ａが一対の端子３１，３２に接触する。
【００３４】
図３に示すように、携帯端末１０は、ジャケット１２を貫通して携帯端末本体（筐体）１１に係合される固定ねじ１３と、携帯端末本体１１に設けられて所定の動作を発生する発光部１８と、リング部２９（固定ねじ１３）の電気的な値を検出する検知部４０と、検知部４０の検出値に対応する設定情報を複数格納する記憶部４１と、検出値に対応する設定情報を記憶部４１から読み出すとともに、この設定情報に基づいて駆動部４２に動作信号を伝える制御部４３とを備え、制御部４３からの動作信号に基づいて駆動部４２で発光部１８を動作させるように構成されている。
【００３５】
発光部１８の動作パターンとしては、以下の（ａ）〜（ｌ）が考えられる。
（ａ）色相（濃淡を含む）
（ｂ）輝度（発光の度合い。光らせない設定も含む）
（ｃ）単色、または、多色
（ｄ）点灯、または、点滅
（ｅ）点滅の間隔（時間、等間隔、または非等間隔）
（ｆ）フェードイン（段々明るく点灯する）効果
（ｇ）フェードアウト（段々暗く点灯する）効果
（ｈ）音楽・音声の出力に同期して変色
（ｉ）待受画面の画像、映像の表示および発光部の配色、輝度
（ｊ）電話またはメールの着信、発信との同期動作時の配色、輝度
（ｋ）画像が波打つように発光させる、回転するように発光させる
（ｌ）模式図形の表示
【００３６】
次に、図４に基づいて、ジャケット１２に対応させて発光部１８の動作パターンを設定する例を説明する。なお、図４において、ステップをＳＴと略記して説明する。
ＳＴ１０において、係合孔１９に固定ボルト１３の軸部２７が係合したか否かを判断する。係合孔１９に軸部２７が係合した場合、ＳＴ１１において、リング部２９の抵抗値を検出する。
【００３７】
ＳＴ１２において、制御部４３は検知部４０で検出した抵抗値が記憶部４１にあらかじめ記憶されている抵抗値であるか否かを判断する。あらかじめ記憶されている抵抗値の場合、ＳＴ１３において、制御部４３は抵抗値に対応する動作パターンを記憶部４１から読み出す。
【００３８】
ＳＴ１４において、制御部４３は携帯端末本体１１の上下の筐体１４，１５（図１参照）が折り畳まれているか否かを判断する。上下の筐体１４，１５が折り畳まれている場合、ＳＴ１５において、制御部４３は携帯端末本体１１の上下の筐体１４，１５が開いたか否かを判断する。
【００３９】
上下の筐体１４，１５が開いている場合、ＳＴ１６において、発光部１８により、ジャケット１２の模様（一例として、花柄模様）に対して統一性がとられた動作パターン（発光パターン）が発光され、この動作パターンの発光テストを確認する。
これにより、ジャケット１２の模様に対して統一性がとられた動作パターンが設定されたことを確認できる。
【００４０】
一方、ＳＴ１２において、検出した抵抗値が、記憶部４１にあらかじめ記憶されている抵抗値であるか否かを判断した際に、抵抗値があらかじめ記憶されている抵抗値でない場合、ＳＴ１７において、制御部４３はエラー動作パターンを記憶部４１から読み出す。
ＳＴ１６において、発光部１８によりエラーパターンが発光され、このエラーパターンを確認する。
エラーパターンが発光された場合、ＳＴ１０からの操作を再度繰り返す。
【００４１】
第１実施形態の携帯端末１０によれば、軸部２７の周面２７ａに所定の抵抗値を有するリング部２９を設けた。軸部２７を係合孔１９に係合することで、所定の抵抗値を検知し、固定ねじ１３が識別される。
【００４２】
さらに、第１実施形態の携帯端末１０によれば、検知部４０は、固定ねじ１３の電気的な値（抵抗値）を検出し、制御部４３は、検出した値に対応する設定情報を記憶部４１から読み出し、読み出した設定情報に基づいて発光部１８を動作させる。
ここで、固定ねじ１３の電気的な値は、ジャケット１２に対応させて設定されている。
【００４３】
これにより、固定ねじ１３でジャケット１２を上筐体１４に係合させることで、固定ねじ１３が識別され、その識別情報に基づいて、記憶部４１にあらかじめ格納された複数の設定情報のうち、ジャケット１２に対応する設定情報を読み出して発光部１８が作動するように設定することが可能である。
【００４４】
すなわち、第１実施形態の携帯端末１０によれば、記憶部４１にあらかじめ格納された複数の設定情報のうち、上筐体１４に取り付けられるジャケット１２に対応する設定情報を読み出して発光部１８の動作パターンを設定できる。
【００４５】
なお、第１実施形態では、動作部として発光部１８を例示して、発光部１８の動作をジャケット１２の模様に合わせる例について説明したが、その他の動作部としては、着信ランプ、振動発生部（バイブレータ）、主表示部、操作部（複数ＬＥＤによるキー照明）、スピーカ、カメラ、ゲーム、アプリケーション等があり、各動作部の動作パターンをジャケット１２に対応して設定することが考えられる。
以下に、上記動作部の動作パターンを示す。
【００４６】
着信ランプの動作パターンとしては、以下の（ａ）〜（ｈ）が考えられる。
（ａ）色相（濃淡を含む）
（ｂ）輝度（発光の度合い）
（ｃ）単色、または、復色
（ｄ）点灯、または、点滅
（ｅ）点滅の場合の間隔（時間、等間隔、または、非等間隔）
（ｆ）フェードイン（段々明るく点灯する）効果
（ｇ）フェードアウト（段々暗く点灯する）効果
（ｈ）音楽・音声の出力に同期して変色
【００４７】
振動発生部（バイブレータ）の動作パターンとしては、以下の（ａ）〜（ｈ）が考えられる。
（ａ）振動の種類
（ｂ）強弱あるいは無振動
（ｃ）連続振動、または、間欠振動
（ｄ）間欠振動の間隔（時間、等間隔、または、非等間隔）
（ｅ）単振動、または、複数種類の振動を混ぜる
（ｆ）フェードイン（段々強く振動）の効果
（ｇ）フェードアウト（段々弱く振動）の効果
（ｈ）音楽・音声の出力に同期して振動
【００４８】
主表示部の動作パターンとしては、以下の（ａ）〜（ｃ）が考えられる。
（ａ）メニュー画面の画像、映像の表示および主表示部の配色、輝度
（ｂ）待受画面の画像、映像の表示および主表示部の配色、輝度
（ｃ）電話またはメールの着信、発信との同期動作時の配色、輝度
【００４９】
操作部（複数ＬＥＤによるキー照明）の動作パターンとしては、以下の（ａ）が考えられる。
（ａ）色、輝度、均一照明、または、不均一照明（波打つような発光、回転しているかのように発光）
【００５０】
スピーカの動作パターンとしては、以下の（ａ）〜（ｃ）が考えられる。
（ａ）着信時（音・声・楽曲）
（ｂ）音量
（ｃ）音質（低音、または、高音強調等のフィルタ、エコー等の音声処理）
【００５１】
カメラの動作パターンとしては、以下が考えられる。
撮影モード（セピア色・モノクロ・特定色強調・ぼかし等の画像処理、額縁画像の重畳表示等）
【００５２】
ゲームの動作パターンとしては、以下の（ａ）〜（ｄ）が考えられる。
（ａ）特定のジャケット装着が識別されたときのゲームアプリケーション起動許可
（ｂ）特定のジャケット装着が識別されたときの、特定ゲームキャラクタ、特定アイテム等の出現の許可
（ｃ）特定のジャケット装着が識別されたときの、特定フェーズ、特定ステージ等への進行の許可
（ｄ）特定のジャケット装着が識別されたときの、特定画像、動画の再生の許可
【００５３】
アプリケーションの動作パターンとしては、以下が考えられる。
特定のジャケット装着が識別されたときのアプリケーション動作許可
【００５４】
携帯端末１１に複数設けられた係合孔１９のうち、限られた係合孔のみに端子３１、３２を設けても良いし、複数の係合孔１９を設けても良い。複数の係合孔を設けた場合、抵抗値の異なる固定ねじ１３を係合に用いることによって、より多くの設定情報を設定することができる。すなわち、固定ねじ１３の抵抗値のみならず、係合孔１９の位置も組み合わさり、多くの設定情報を設定することができる。
これによって、ジャケット１２が同一であっても、どの係合孔１９にどの固定ねじ１３を用いるかによって発光部１８の動作を異ならせることができる、という効果を有する。
カメラを備えることなくジャケットを識別できる構成としているので、より簡素な構成の電子機器を提供することができる。
【００５５】
次に、第２〜第４実施形態の携帯端末を図７〜図１１に基づいて説明する。なお、第２〜第４実施形態の携帯端末において第１実施形態の携帯端末と同一類似部材については同一符号を付して説明を省略する。
【００５６】
（第２実施形態）
図５〜図６に示すように、第２実施形態の携帯端末５０は、固定ねじ（固定部材）５１が第１実施形態の固定ねじ１３と異なるだけで他の構成は第１実施形態と同様である。
【００５７】
固定ねじ５１は、第１実施形態の固定ねじ１３と同様に頭部２６および軸部２７を備え、軸部２７の周面２７ａに設けられた第１リング部５２および第２リング部５３を有し、第１リング部５２および第２リング部５３が導電性を有するとともに、軸部２７の周面２７ａにおいて離間配置され、かつ、軸部２７に内蔵された抵抗５４を介して電気的に接続されている。
【００５８】
第２実施形態の携帯端末５０によれば、第１実施形態の携帯端末１０と同様の効果を得ることができる。
加えて、第２実施形態の携帯端末５０によれば、第１リング部５２、第２リング部５３を軸部２７に内蔵された抵抗５４を介して電気的に接続したので、内蔵する抵抗５４を選択することで、抵抗値を任意に設定することが可能になる。
【００５９】
なお、第２に実施形態では、抵抗５４を軸部２７に内蔵した例について説明したが、これに限らないで、抵抗５４を頭部２６に内蔵することも可能である。
【００６０】
（第３実施形態）
図７に示す第３実施形態の携帯端末６０は、ジャケット１２に発光部（動作部）１８を備え、この発光部１８に固定ねじ（固定部材）６１を経て給電するように構成したもので他の構成は第１実施形態の携帯端末１０と同様である。
【００６１】
図８に示すように、固定ねじ６１は、第１実施形態の固定ねじ１３と同様に頭部２６および軸部２７を備え、軸部２７の周面２７ａに設けられた第１リング部６２と、頭部２６の周面２６ａに設けられた第２リング部６３とを有し、第１リング部６２および第２リング部６３が導電性を有するとともに、軸部２７および頭部２６の内部において抵抗６４を介して電気的に接続されている。
【００６２】
図９に示すように、携帯端末６０は、ジャケット１２を貫通して携帯端末本体（筐体）１１に係合される固定ねじ６１と、ジャケット１２に設けられて所定の動作を発生する発光部１８と、固定ねじ６１（すなわち、第１リング部６２、第２リング部６３および抵抗６４）の電気的な値を個別に検出する検知部４０、４０と、各検知部４０、４０から得た検出値に対応する設定情報を記憶部４１から読み出すとともに、この設定情報に基づいて光源駆動部４２に動作信号を伝える制御部４３とを備え、制御部４３からの動作信号に基づいて光源駆動部４２で発光部１８を動作させるように構成されている。
【００６３】
第３実施形態の携帯端末６０によれば、第１実施形態の携帯端末１０と同様の効果を得ることができる。
加えて、第３実施形態の携帯端末６０によれば、軸部２７の周面２７ａに第１リング部６２を設け、頭部２６の周面２６ａに第２リング部６３を設け、第１リング部６２、第２リング部６３を電気的に接続したので、携帯端末本体１１とジャケット１２とを固定ねじ６１（すなわち、第１リング部６２、第２リング部６３および抵抗６４）を介して電気的に接続できる。
よって、ジャケット１２に備えた発光部１８に、固定ねじ６１を介して携帯端末本体１１側から給電することができる。
【００６４】
なお、第３に実施形態では、第１リング部６２、第２リング部６３を、抵抗６４を介して電気的に接続した例について説明したが、これに限らないで、第１リング部６２、第２リング部６３を、抵抗６４を用いないで電気的に接続することも可能である。
【００６５】
（第４実施形態）
図１０〜図１１に示す第４実施形態の携帯端末７０は、固定ねじ（固定部材）７１が第３実施形態の固定ねじ６１と異なるだけで他の構成は第３実施形態と同様である。
【００６６】
固定ねじ７１は、第３実施形態の固定ねじ６１に第３リング部７２、第４リング部７３を加えたものである。
【００６７】
具体的には、固定ねじ７１は、第３実施形態の固定ねじ６１と同様に頭部２６および軸部２７を備え、軸部２７の周面２７ａに設けられた第１リング部６２と、頭部２６の周面２６ａに設けられた第２リング部６３とを有し、第１リング部６２および第２リング部６３が導電性を有するとともに、軸部２７および頭部２６の内部において抵抗６４を介して電気的に接続されている。
また、軸部２７の周面２７ａに設けられ、かつ、第１リング部６２に対して離間配置された第３リング部７２と、頭部２６の周面２６ａに設けられ、かつ、第２リング部６３に対して離間配置された第４リング部７３を有し、第３リング部７２および第４リング部７３が導電性を有するとともに、軸部２７および頭部２６の内部において電気的に接続されている。
【００６８】
図１１に示すように、携帯端末７０は、ジャケット１２を貫通して携帯端末本体（筐体）１１に係合される固定ねじ７１と、ジャケット１２に設けられて所定の動作を発生する発光部１８と、固定ねじ７１（すなわち、第１〜第４リング部６２，６３，７２，７３および抵抗６４）の電気的な値を検出する検知部４０と、検知部４０の検出値に対応する設定情報を複数格納する記憶部４１と、検出値に対応する設定情報を記憶部４１から読み出すとともに、この設定情報に基づいて検知部４０を介して駆動部４２に動作信号を伝える制御部４３とを備え、制御部４３からの動作信号に基づいて駆動部４２で発光部１８を動作させるように構成されている。
【００６９】
携帯端末７０は、駆動部４２が、リード線３３→端子３１→第１リング部６２→第２リング部６３→端子７５→リード線７６を介して発光部１８に接続され、発光部１８が、リード線７７→端子７８→第４リング部７３→第３リング部７２→端子３２→リード線３４を介して駆動部４２に接続されている。
これにより、１個の固定ねじ７１で、駆動部（給電部）４２から発光部（被給電部）１８への給電が可能になる。
【００７０】
第４実施形態の携帯端末７０によれば、第３実施形態の携帯端末６０と同様の効果を得ることができる。
加えて、第４実施形態の携帯端末７０によれば、１個の固定ねじ７１で、給電部と発光部（被給電部）１８との電気的な接続、すなわち携帯端末本体１１側から発光部１８への給電が可能になり、発光部１８の他の多種の動作部の動作パターンの選択が可能になる。
【００７１】
（第５実施形態）
図１２に第５実施形態の携帯端末８０を示す。前述した第１実施形態〜第２実施形態においては、ジャケットおよび固定部材が別体であったが、図１２に示す第５実施形態の携帯端末８０は、ジャケット８２および複数の固定部材８１が一体成形されている。
固定部材８１は、略円柱状とされ、略三角形の断面形状が周方向に連続する凸部８３が先端部に形成されている。これらの固定部材８１のうち、少なくとも１つは所定の抵抗値を有するリング部２９が設けられている。
凸部８３は、携帯端末本体１１の係合孔１９に設けられた凹部８４で嵌合し、嵌合後はジャケット８２が携帯端末本体１１に対して固定される。
【００７２】
第５実施形態の携帯端末７０によれば、第１実施形態の携帯端末１０、第２実施形態の携帯端末２０、第３実施形態の携帯端末３０と同様の効果を得ることができる。
加えて、ジャケット８２および固定部材８１が一体成形されているので、ジャケットと固定部材とが別体のときに生じる、携帯端末本体１１と固定部材との結合緩みによるジャケットのがたつきが生じにくい。従って、常に使用感の良い携帯端末７０を提供することができる。
また、ジャケット８２および固定部材８１が一体成形されているので、電子部品としての抵抗の配置に自由度が得られ、例えばジャケット８２に抵抗を配置してもよく、製造上、取り扱いやすい。
【００７３】
（第６実施形態）
図１３に第６実施形態の携帯端末９０を示す。携帯端末９０は、ジャケット９２に発光部（動作部）９８を備え、この発光部９８に一対の固定部材９１を経て給電するように構成したもので他の構成は第５実施形態の携帯端末８０と同様である。
このような第６実施形態の携帯端末９０によれば、第５実施形態の携帯端末８０と同様の効果を得ることができる。
【００７４】
なお、前記第１〜第４実施形態では、固定部材として固定ねじを例示したが、これに限定するものではなく、ピンやファスナーを用いることも可能である。
また、第１実施形態〜第４実施形態では、上筐体１４にジャケット１２を固定部材で取り付ける例について説明したが、上筐体１４だけでなく、下筐体１５にもジャケット１２を取り付けることも可能である。
【００７５】
また、第１実施形態〜第４実施形態では、固定部材として、頭部２６に六角形の凹部２８を備えたヘキサゴンボルトを例示したが、通常のボルトを用いること可能である。
さらに、第３実施形態〜第４実施形態では、固定ねじの頭部と軸部とにリング部を分散した例について説明したが、例えば、軸部にのみ４条のリング部を備えることも可能である。
【産業上の利用可能性】
【００７６】
本発明は、筐体に取付部材を係合する固定部材や、筐体に固定部材で取付部材を係合した電子機器への適用に好適である。
【図面の簡単な説明】
【００７７】
【図１】本発明に係る第１実施形態の携帯端末を示す分解斜視図である。
【図２】（ａ）は第１実施形態に係る固定ねじを示す斜視図、（ｂ）は第１実施形態に係る固定ねじを示す断面図である。
【図３】第１実施形態に係る携帯端末を示すブロック図である。
【図４】第１実施形態に係る携帯端末を用いてジャケットに対応させて発光部の動作パターンを設定する例を説明するフローチャートである。
【図５】（ａ）は本発明に係る第２実施形態の固定ねじを示す斜視図、（ｂ）は本発明に係る第２実施形態の固定ねじを示す断面図である。
【図６】第２実施形態に係る要部を示す斜視図である。
【図７】本発明に係る第３実施形態の携帯端末を示す分解斜視図である。
【図８】（ａ）は第３実施形態に係る固定ねじを示す斜視図、（ｂ）は第３実施形態に係る固定ねじを示す断面図である。
【図９】第３実施形態に係る携帯端末を示すブロック図である。
【図１０】（ａ）は本発明に係る第４実施形態の固定ねじを示す斜視図、（ｂ）は本発明に係る第４実施形態の固定ねじを示す断面図である。
【図１１】第４実施形態に係る携帯端末を示すブロック図である。
【図１２】第５実施形態に係る携帯端末を示すブロック図である。
【図１３】第６実施形態に係る携帯端末を示すブロック図である。
【符号の説明】
【００７８】
１０，５０，６０，７０，８０，９０  携帯端末（電子機器）
１１  携帯端末本体
１２  ジャケット（取付部材）
１３  固定ねじ（固定部材）
１４  上筐体（筐体）
１８  発光部（動作部）
１９  係合孔
２４  貫通孔
２６  頭部
２６ａ  頭部の周面
２７  軸部
２７ａ  軸部の周面
２９  リング部
５２，６２  第１リング部
５３，６３  第２リング部
７２  第３リング部
７３  第４リング部
５４，６４  抵抗＋
４０  検知部
４１  記憶部
４３  制御部
【図１】
2007243720.tif 000003
【図２】
2007243720.tif 000004
【図３】
2007243720.tif 000005
【図４】
2007243720.tif 000006
【図５】
2007243720.tif 000007
【図６】
2007243720.tif 000008
【図７】
2007243720.tif 000009
【図８】
2007243720.tif 000010
【図９】
2007243720.tif 000011
【図１０】
2007243720.tif 000012
【図１１】
2007243720.tif 000013
【図１２】
2007243720.tif 000014
【図１３】
2007243720.tif 000015